(57)【要約】【課題】重畳表示されている個々の画像の全体を視認することができ、最前面に表示される画像の入れ替え表示の制御を精度良く行うことができる画像表示装置、画像表示方法、及びプログラムを提供する。【解決手段】  画像表示装置１０は、表示部５と、位置の指定を受け付ける受付部７と、位置情報を取得する位置情報取得部１７と、繰り返しスライド操作の軌跡で重畳表示を指定する第１繰り返しスライド操作を、検知する第１繰り返しスライド操作検知部２３と、検知された第１繰り返しスライド操作の軌跡に沿った繰り返しスライド操作である第２繰り返しスライド操作を、検知する第２繰り返しスライド操作検知部２５と、第２繰り返しスライド操作の軌跡量に応じて、重畳表示の最前面の画像を重畳表示の最前面ではない画像に順次入れ替えて表示させる入れ替え表示を表示部に行わせる表示制御部２１と、を備える。【選択図】図３
2015203875.tif 000002
【特許請求の範囲】
【請求項１】
複数の画像の重畳表示が表示された表示部と、
前記表示部上の位置の指定を受け付ける受付部と、
前記受付部が受け付けた位置の位置情報を取得する位置情報取得部と、
繰り返しスライド操作の軌跡で前記重畳表示を指定する第１繰り返しスライド操作を、前記位置情報取得部が取得した前記繰り返しスライド操作の位置情報により、検知する第１繰り返しスライド操作検知部と、
前記検知された第１繰り返しスライド操作の軌跡に沿った前記繰り返しスライド操作である第２繰り返しスライド操作を、前記位置情報取得部が取得した前記繰り返しスライド操作の位置情報により、検知する第２繰り返しスライド操作検知部と、
前記第２繰り返しスライド操作の軌跡量に応じて、前記重畳表示の最前面の画像を前記重畳表示の最前面ではない画像に順次入れ替えて表示させる入れ替え表示を前記表示部に行わせる表示制御部と、
を備える画像表示装置。
【請求項２】
前記第２繰り返しスライド操作から継続し、前記第２繰り返しスライド操作の停止後のスライド操作を、前記位置情報取得部が取得した前記スライド操作の位置情報により、検知するスライド操作検知部を更に備え、
前記第２繰り返しスライド操作検知部は、前記第２繰り返しスライド操作の停止を検知し、
前記表示制御部は、前記第２繰り返しスライド操作の停止の検知に基づいて前記入れ替え表示を停止させ、前記入れ替え表示が停止した際に最前面に表示された画像を前記スライド操作検知部により検知された前記スライド操作のドラッグ状態として表示させる請求項１に記載の画像表示装置。
【請求項３】
前記スライド操作検知部は、前記スライド操作の停止を検知し、
前記表示制御部は、前記スライド操作の停止の検知に基づいて、前記ドラッグ状態の画像の前記ドラッグ状態を解除させる請求項２に記載の画像表示装置。
【請求項４】
前記第２繰り返しスライド操作検知部は、前記第２繰り返しスライド操作の正方向及び逆方向を検知し、
前記表示制御部は、前記第２繰り返しスライド操作の正方向と逆方向とでは、前記最前面に表示させる画像の表示順序を逆にする請求項１から３のいずれか１項に記載の画像表示装置。
【請求項５】
前記表示制御部は、前記第２繰り返しスライド操作の移動の速度に応じて、前記入れ替え表示の速度を変化させる請求項１から４のいずれか１項に記載の画像表示装置。
【請求項６】
前記第１繰り返しスライド操作及び前記第２繰り返し操作は、直線的スライド操作の繰り返しである請求項１から５のいずれか１項に記載の画像表示装置。
【請求項７】
前記第１繰り返しスライド操作及び前記第２繰り返し操作は、円弧的スライド操作の繰り返しである請求項１から５のいずれか１項に記載の画像表示装置。
【請求項８】
前記表示部と前記受付部とは一体である請求項１から７のいずれか１項に記載の画像表示装置。
【請求項９】
前記受付部は、タッチパネルである請求項１から８のいずれか１項に記載の画像表示装置。
【請求項１０】
前記受付部は、マウス又はデジタイザである請求項１から７のいずれか１項に記載の画像表示装置。
【請求項１１】
複数の画像の重畳表示を表示部に表示する表示工程と、
前記表示部上の位置の指定を受け付ける受付工程と、
前記受付工程で受け付けた位置の位置情報を取得する位置情報取得工程と、
繰り返しスライド操作の軌跡で前記重畳表示を指定する第１繰り返しスライド操作を、前記位置情報取得工程で取得した前記繰り返しスライド操作の位置情報により、検知する第１繰り返しスライド操作検知工程と、
前記検知された第１繰り返しスライド操作の軌跡に沿った前記繰り返しスライド操作である第２繰り返しスライド操作を、前記位置情報取得工程で取得した前記繰り返しスライド操作の位置情報により、検知する第２繰り返しスライド操作検知工程と、
前記第２繰り返しスライド操作の軌跡量に応じて、前記重畳表示の最前面の画像を前記重畳表示の最前面ではない画像に順次入れ替えて表示させる入れ替え表示工程と、
を含む画像表示方法。
【請求項１２】
複数の画像の重畳表示を表示部に表示する表示工程と、
前記表示部上の位置の指定を受け付ける受付工程と、
前記受付工程で受け付けた位置の位置情報を取得する位置情報取得工程と、
繰り返しスライド操作の軌跡で前記重畳表示を指定する第１繰り返しスライド操作を、前記位置情報取得工程で取得した前記繰り返しスライド操作の位置情報により、検知する第１繰り返しスライド操作検知工程と、
前記検知された第１繰り返しスライド操作の軌跡に沿った前記繰り返しスライド操作である第２繰り返しスライド操作を、前記位置情報取得工程で取得した前記繰り返しスライド操作の位置情報により、検知する第２繰り返しスライド操作検知工程と、
前記第２繰り返しスライド操作の軌跡量に応じて、前記重畳表示の最前面の画像を前記重畳表示の最前面ではない画像に順次入れ替えて表示させる入れ替え表示工程と、
をコンピュータに実行させるプログラム。
【発明の詳細な説明】
【技術分野】
【０００１】
本発明は、画像表示装置、画像表示方法、及びプログラムに関し、特に、画像が重なり合って表示される場合の画像表示装置、画像表示方法、及びプログラムに関する。
【背景技術】
【０００２】
近年インターネットの普及により、携帯電話機（スマートフォンも含む）、タブレット型コンピュータ、又はコンピュータ等を使用して、情報の検索を行う人（ユーザ）が増えている。例えば、ユーザが、インターネット上におけるＥＣ（Ｅｌｅｃｔｒｏｎｉｃ  Ｃｏｍｍｅｒｃｅ）サイトで衣服等の商品を検索する場合、ウェブページ上で所望の衣服の色を指定すると、その指定された色に関連する衣服画像（衣服が撮影された画像）の一覧が表示される。そして、ユーザは、表示された衣服画像の一覧の中から所望の衣服画像を選択し、衣服を購入することができる。また、ユーザが入力するキーワードに基づいて検索された衣服画像の一覧をある特徴量に基づいて整列させて、ユーザに提供するＥＣサイトがある。この場合、ユーザは、特徴量に基づいて整列した複数の衣服画像の一覧から、好みの衣服を選択することが可能である。
【０００３】
しかしながら、携帯電話機、タブレット型コンピュータ、又はコンピュータの表示画面は限られており、衣服画像が多く抽出されたり衣服画像の特徴量が似ていたりする場合には、衣服画像がお互いに重なって表示されてしまうことがある。
【０００４】
一方、従来より、限られた表示画面上で多くの画像を表示するための工夫がなされてきた。
【０００５】
例えば、特許文献１には、表示画面の中央ではアイコンを重ねずに表示し、表示画面の左右の端ではアイコンを重ねて表示する電子機器が記載されている。
【０００６】
また、特許文献２には、重畳表示されている画像を視線方向を変えて描画することにより、画像を重ならないように表示する画像表示装置が記載されている。
【０００７】
また、特許文献３には、操作部に加えられる圧力を検出するポインティングデバイスによって、複数のウィンドウの表示階層を制御する情報処理装置が記載されている。
【先行技術文献】
【特許文献】
【０００８】
【特許文献１】特開２０１２−７９０６５号公報
【特許文献２】特開２０１３−２０６３５４号公報
【特許文献３】特開２０１１−２３２９４７号公報
【発明の概要】
【発明が解決しようとする課題】
【０００９】
しかしながら、特許文献１に記載の技術では、表示画面の中央でアイコンを重ねずに表示するために、より広い表示スペースが必要になる。また、特許文献２に記載の技術では、重畳表示されている画像を視線方向を変えて描画する際に、より広い表示スペースが必要となる。
【００１０】
また、特許文献３に記載された技術では、ポインティングデバイスによって検出される圧力によってウィンドウの表示階層を制御しているため、表示階層の制御を精度良く行うことが難しい場合がある。
【００１１】
本発明はこのような事情に鑑みてなされたもので、その目的は、限られた表示スペースであっても重畳表示されている個々の画像の全体を視認することができ、最前面に表示される画像の入れ替え表示の制御を精度良く行うことができる画像表示装置、画像表示方法、及びプログラムを提供することである。
【課題を解決するための手段】
【００１２】
本発明の一の態様である画像表示装置は、複数の画像の重畳表示が表示された表示部と、表示部上の位置の指定を受け付ける受付部と、受付部が受け付けた位置の位置情報を取得する位置情報取得部と、繰り返しスライド操作の軌跡で重畳表示を指定する第１繰り返しスライド操作を、位置情報取得部が取得した繰り返しスライド操作の位置情報により、検知する第１繰り返しスライド操作検知部と、検知された第１繰り返しスライド操作の軌跡に沿った繰り返しスライド操作である第２繰り返しスライド操作を、位置情報取得部が取得した繰り返しスライド操作の位置情報により、検知する第２繰り返しスライド操作検知部と、第２繰り返しスライド操作の軌跡量に応じて、重畳表示の最前面の画像を重畳表示の最前面ではない画像に順次入れ替えて表示させる入れ替え表示を表示部に行わせる表示制御部と、を備える。
【００１３】
本態様によれば、重畳表示された画像の最前面の画像を順次入れ替えて表示するので、画像を表示するスペースが小さい場合であっても重畳表示された個々の画像の全体を視認することができる。また、本態様によれば、最前面の画像の入れ替え表示を繰り返しスライド操作の軌跡量に応じて行うため、入れ替え表示が精度良く行われる。
【００１４】
望ましくは、画像表示装置は、第２繰り返しスライド操作から継続し、第２繰り返しスライド操作の停止後のスライド操作を、位置情報取得部が取得したスライド操作の位置情報により、検知するスライド操作検知部を更に備え、第２繰り返しスライド操作検知部は、第２繰り返しスライド操作の停止を検知し、表示制御部は、第２繰り返しスライド操作の停止の検知に基づいて入れ替え表示を停止させ、入れ替え表示が停止した際に最前面に表示された画像をスライド操作検知部により検知されたスライド操作のドラッグ状態として表示させる。
【００１５】
本態様によれば、入れ替え表示によって最前面に表示させた画像を、スライド操作に応じて画面上で移動させることができる。
【００１６】
望ましくは、スライド操作検知部は、スライド操作の停止を検知し、表示制御部は、スライド操作の停止の検知に基づいて、ドラッグ状態の画像のドラッグ状態を解除させる。
【００１７】
本態様によれば、入れ替え表示によって最前面に表示された画像のドラッグ状態が解除される。
【００１８】
望ましくは、第２繰り返しスライド操作検知部は、第２繰り返しスライド操作の正方向及び逆方向を検知し、表示制御部は、第２繰り返しスライド操作の正方向と逆方向とでは、最前面に表示させる画像の表示順序を逆にする。
【００１９】
本態様によれば、繰り返しスライド操作の正方向と逆方向で最前面に表示させる画像の表示順序を逆にするので、ユーザが所望する画像を最前面に早く表示させる。
【００２０】
望ましくは、表示制御部は、第２繰り返しスライド操作の移動の速度に応じて、入れ替え表示の速度を変化させる。
【００２１】
本態様によれば、繰り返しスライド操作の移動の速度に応じて入れ替え表示の速度を変化させているので、ユーザが所望する画像を最前面に早く表示させる。
【００２２】
望ましくは、第１繰り返しスライド操作及び第２繰り返し操作は、直線的スライド操作の繰り返しである。
【００２３】
本態様によれば、第１繰り返しスライド操作と第２繰り返しスライド操作とが直線的なスライド操作であるので、ユーザの行う操作が容易である。
【００２４】
望ましくは、第１繰り返しスライド操作及び第２繰り返し操作は、円弧的スライド操作の繰り返しである。
【００２５】
本態様によれば、第１繰り返しスライド操作と第２繰り返しスライド操作とが円弧的なスライド操作であるので、ユーザの行う操作が容易である。
【００２６】
望ましくは、表示部と受付部とは一体である。また、望ましくは、受付部は、タッチパネルである。また、望ましくは、受付部は、マウス又はデジタイザである。
【００２７】
本発明の他の態様である画像表示方法は、複数の画像の重畳表示を表示部に表示する表示工程と、表示部上の位置の指定を受け付ける受付工程と、受付工程で受け付けた位置の位置情報を取得する位置情報取得工程と、繰り返しスライド操作の軌跡で重畳表示を指定する第１繰り返しスライド操作を、位置情報取得工程で取得した繰り返しスライド操作の位置情報により、検知する第１繰り返しスライド操作検知工程と、検知された第１繰り返しスライド操作の軌跡に沿った繰り返しスライド操作である第２繰り返しスライド操作を、位置情報取得工程で取得した繰り返しスライド操作の位置情報により、検知する第２繰り返しスライド操作検知工程と、第２繰り返しスライド操作の軌跡量に応じて、重畳表示の最前面の画像を重畳表示の最前面ではない画像に順次入れ替えて表示させる入れ替え表示工程と、を含む。
【００２８】
本発明の他の態様であるプログラムは、複数の画像の重畳表示を表示部に表示する表示工程と、表示部上の位置の指定を受け付ける受付工程と、受付工程で受け付けた位置の位置情報を取得する位置情報取得工程と、繰り返しスライド操作の軌跡で重畳表示を指定する第１繰り返しスライド操作を、位置情報取得工程で取得した繰り返しスライド操作の位置情報により、検知する第１繰り返しスライド操作検知工程と、検知された第１繰り返しスライド操作の軌跡に沿った繰り返しスライド操作である第２繰り返しスライド操作を、位置情報取得工程で取得した繰り返しスライド操作の位置情報により、検知する第２繰り返しスライド操作検知工程と、第２繰り返しスライド操作の軌跡量に応じて、重畳表示の最前面の画像を重畳表示の最前面ではない画像に順次入れ替えて表示させる入れ替え表示工程と、をコンピュータに実行させる。
【発明の効果】
【００２９】
本発明によれば、重畳表示された画像の最前面の画像を順次入れ替えて表示するので、画像を表示するスペースが小さい場合であっても重畳表示された個々の画像の全体を視認することができる。また、本態様によれば、最前面の画像の入れ替え表示を繰り返しスライド操作の軌跡量に応じて行うため、入れ替え表示が精度良く行われる。
【図面の簡単な説明】
【００３０】
【図１】タブレット型コンピュータの外観を示す概念図である。
【図２】タブレット型コンピュータの表示部に重畳表示が表示されることを説明する概念図である。
【図３】画像表示装置の機能ブロック図である。
【図４】第１繰り返しスライド操作に関して説明する概念図である。
【図５】第１繰り返しスライド操作の検知に関して説明する概念図である。
【図６】入れ替え表示が行われた後の重畳表示を説明する概念図である。
【図７】重畳表示の最前面の画像を入れ替えることを説明する概念図である。
【図８】画像表示装置の動作フロー図である。
【図９】第１繰り返しスライド操作に関して説明する概念図である。
【図１０】第1繰り返しスライド操作の検知に関して説明する概念図である。
【図１１】入れ替え表示に関して説明する概念図である。
【図１２】画像表示装置の機能ブロック図である。
【図１３】最前面に表示された画像がドラッグ状態であることを説明する概念図である。
【図１４】注目画像がドロップされた画像に置き換わることを説明する概念図である。
【図１５】スマートフォンの外観を示す概念図である。
【図１６】図１５に示すスマートフォンの構成を示す機能ブロック図である。
【発明を実施するための形態】
【００３１】
以下、添付図面に従って本発明に係る実施形態について説明する。
【００３２】
図１は、タブレット型コンピュータ１の外観を示す図である。タブレット型コンピュータ１は、本発明の画像表示装置１０（図３）を備え、平板状の筐体３を有し、筐体３の一方の面に表示部５としての表示パネルと、受付部７としての操作パネル（タッチパネル）とが一体となったものを備える。また、筐体３は、スピーカ９、及び操作部１３を備える。なお、筐体３の構成はこれに限定されず、例えば、表示部５と受付部７とが独立した構成が採用されてもよいし、折り畳み構造やスライド機構を有する構成が採用されてもよい。
【００３３】
図２は、図１に示されたタブレット型コンピュータ１の表示部５に重畳表示２０が表示されることを説明する概念図である。図２には、ＥＣサイトで衣服等の商品を検索する場合に、柄種類、鮮やかさ、色合い、及び明るさの特徴軸上に商品画像が配列される具体例を示している。商品が持つ特徴量に応じて特徴軸上にその商品画像を配列する場合に、近い特徴量を有する商品（又は商品画像）が多く存在すると、商品画像は重畳表示２０となる。図２に示す具体例では、色合いの特徴量が近い商品が多く存在するため、重畳表示２０が存在している。重畳表示２０は、画像２０ａ、画像２０ｂ、画像２０ｃ、画像２０ｄ、画像２０ｅ、及び画像２０ｆを有し、最前面から最背面へと画像２０ａ、画像２０ｂ、画像２０ｃ、画像２０ｄ、画像２０ｅ、及び画像２０ｆと順次重なっている。重畳表示２０のように、画像が重なりあって表示されると、最前面の画像２０ａの全体は視認可能であるが、最前面にない画像（画像２０ｂ〜画像２０ｆ）は、重なり合っている部分があるので画像全体の視認が困難となる。しかし、本発明の画像表示装置１０（図３）を利用することによって、このような重畳表示２０の最前面にない画像（例えば、図２の画像２０ｂ〜２０ｆ）の全体が視認可能となる。なお、画像２０ａ〜画像２０ｆは、衣服が撮影された画像（商品画像）を表すが、画像２０ａ〜画像２０ｆ上の衣服の描画は省略されている。
【００３４】
＜第１実施形態＞
図３は、画像表示装置１０の機能ブロック図である。図３に示すように、画像表示装置１０は、表示部５、受付部７、位置情報取得部１７、検知部１９、及び表示制御部２１を有する。また、検知部１９は、第１繰り返しスライド操作検知部２３及び第２繰り返しスライド操作検知部２５を有する。
【００３５】
表示部５には、複数の画像の重畳表示２０が表示される。表示部５は、画像が表示可能であれば特に限定されず、公知の表示手段が採用される。ここで、「重畳表示」とは、複数の画像が重なることにより、最前面にない画像の全体が視認できなくなるような表示形態又はそのように表示された画像群をいう。
【００３６】
受付部７は、表示部５上の位置の指定を受け付ける。すなわち、ユーザは、受付部７を介して、表示部５上の位置の指定を行う。例えば、受付部７がタッチパネルである場合には、受付部７は、タッチパネル上でのユーザのスライド操作又はスワイプ操作等により表示部５上の位置の指定を受け付ける。受付部７で受け付けられた表示部５上の位置の指定は、位置情報取得部１７に送られる。なお、受付部７は、表示部５上の位置の指定を受け付けることができれば特に限定されるものではなく、公知の手段が採用される。例えば、受付部７は、マウスやデジタイザ等のポインティングデバイスであってもよい。また、スライド操作とはユーザが指をタッチパネル上でスライドさせる操作のことをいい、スワイプ操作ともいう。さらに、受付部７がマウス又はデジタイザである場合には、受付部７がタッチパネルである場合のスライド操作と同様の操作を受付部７がマウス又はデジタイザである場合のスライド操作とする。
【００３７】
位置情報取得部１７は、受付部７が受け付けた位置の位置情報を取得する。すなわち、位置情報取得部１７は、受付部７が受け付けた位置の指定を取得して、位置の指定に対応する表示部５の位置情報（例えば座標）を算出又は取得する。位置情報取得部１７が行う表示部５の座標位置の算出又は取得は、特に限定されるものではなく、公知の技術を使用して行われる。なお、表示部５と位置情報取得部１７とは電子的に接続されている。
【００３８】
検知部１９は、位置情報取得部１７から位置情報を取得して、受付部７で受け付けた操作の検知を行う。検知部１９は、第１繰り返しスライド操作検知部２３と第２繰り返しスライド操作検知部２５とを有する。
【００３９】
第１繰り返しスライド操作検知部２３は、位置情報に基づいて、繰り返しスライド操作の軌跡で重畳表示２０を指定する第１繰り返しスライド操作を検知する。具体的には、第１繰り返しスライド操作検知部２３は、位置情報取得部１７から位置情報を取得し、繰り返しスライド操作を検知し、その繰り返しスライド操作の軌跡によって重畳表示２０が指定されている場合に、その繰り返しスライド操作を第１繰り返しスライド操作として検知する。
【００４０】
第２繰り返しスライド操作検知部２５は、位置情報に基づいて、検知された第１繰り返しスライド操作の軌跡に沿った繰り返しスライド操作である第２繰り返しスライド操作を検知する。具体的には、第２繰り返しスライド操作検知部２５は、位置情報取得部１７から位置情報を取得し、第１繰り返しスライド操作の軌跡に沿った繰り返しスライド操作を第２繰り返しスライド操作として検知する。なお、繰り返しスライド操作、第１繰り返しスライド操作、及び第２繰り返しスライド操作に関しては後述する。
【００４１】
表示制御部２１は、第２繰り返しスライド操作の軌跡量に応じて、重畳表示２０の最前面の画像を重畳表示２０の最前面ではない画像に順次入れ替えて表示させる入れ替え表示を表示部５に行わせる。ここで、「入れ替え表示」とは、重畳表示２０を構成する画像のうち最前面に表示される画像を順次入れ替えて表示することである。具体的に図２に示した例では、重畳表示２０の最前面の画像が、最前面に表示されていた画像２０ａから最前面に表示されていなかった画像（画像２０ｂ〜画像２０ｆ）に順次入れ替えられることを入れ替え表示という。また、表示制御部２１は、第２繰り返しスライド操作の軌跡量に応じて、入れ替え表示を表示部５に行わせる。第２繰り返しスライド操作の軌跡量に応じた入れ替え表示の具体的な態様は後述する。
【００４２】
図４は、第１繰り返しスライド操作に関して説明する概念図である。図４に示すように、重畳表示２０は、円弧的な繰り返しスライド操作２７の軌跡によって囲まれることにより指定される。すなわち、第１繰り返しスライド操作検知部２３は、位置情報取得部１７から取得する位置情報により、円弧的な繰り返しスライド操作２７を検知し、検知された円弧的な繰り返しスライド操作２７がその軌跡で重畳表示２０を指定しているかを検知する。そして、円弧的な繰り返しスライド操作２７が重畳表示２０を軌跡によって指定している場合には、円弧的な繰り返しスライド操作２７を第１繰り返しスライド操作とする。なお、重畳表示２０は、様々な方法で繰り返しスライド操作の軌跡によって指定される。図４に示した場合では、重畳表示２０は、円弧的な繰り返しスライド操作２７の軌跡で囲まれることにより指定されている。また、重畳表示２０を構成する画像上を繰り返しスライド操作の軌跡が通過することによっても、重畳表示２０は指定される。
【００４３】
図５は、第１繰り返しスライド操作検知部２３が行う第１繰り返しスライド操作の検知に関して説明する概念図である。図５には、第１繰り返しスライド操作検知部２３が第１スライド操作として検知する円弧的な繰り返しスライド操作２７が示されている。具体的には、第１繰り返しスライド操作検知部２３は、以下のようにして円弧的な繰り返しスライド操作２７を第１繰り返しスライド操作として検知する。先ず、第１繰り返しスライド操作検知部２３は、円弧的なスライド操作が繰り返されると、円弧的な繰り返しスライド操作２７として検知する。例えば、第１繰り返しスライド操作検知部２３は、第２回目の円弧的なスライド操作が第１回目の円弧的なスライド操作の軌跡に沿って行われた場合には、第２回目の円弧的なスライド操作を円弧的な繰り返しスライド操作２７であると検知する。ここで、「軌跡に沿う」とは、厳密に軌跡上でスライド操作が行われることを意味するものではない。すなわち、図５に示すように、第１繰り返しスライド操作検知部２３は、スライド操作の軌跡を中心とした幅を有する帯状のゾーン３３内でスライド操作が行われている場合に、スライド操作の軌跡に沿ったスライド操作を検知する。例えば、ゾーン３３は、人間の指の大きさを考慮して３ｃｍの幅を採用することができる。
【００４４】
その後、第１繰り返しスライド操作検知部２３は、円弧的な繰り返しスライド操作２７が重畳表示２０を指定しているかを検知する。例えば、第１繰り返しスライド操作検知部２３は、円弧的な繰り返しスライド操作２７の軌跡により重畳表示２０が囲まれている場合には、円弧的な繰り返しスライド操作が重畳表示２０を指定していると検知する。そして、第１繰り返しスライド操作検知部２３は、円弧的な繰り返しスライド操作２７を第１繰り返しスライド操作として検知する。
【００４５】
第２繰り返しスライド操作検知部２５は、第１繰り返しスライド操作の軌跡に沿ったスライド操作を第２繰り返しスライド操作として検知する。具体的に図５に示した場合では、第２繰り返しスライド操作検知部２５は、円弧的な繰り返しスライド操作２７の軌跡に沿った円弧的なスライド操作を、第２繰り返しスライド操作として検知する。ここで、「軌跡に沿う」とは上述した説明と同様に厳密に軌跡上でスライド操作が行われることを意味するものではない。
【００４６】
なお、第１繰り返しスライド操作検知部２３が行う第１繰り返しスライド操作の検知、及び第２繰り返しスライド操作検知部２５が行う第２繰り返しスライド操作の検知は、上述した態様に限られない。すなわち、第１繰り返しスライド操作により重畳表示２０が指定され、第２繰り返しスライド操作に応じて重畳表示２０が入れ替え表示される態様であれば、第１繰り返しスライド操作検知部２３及び第２繰り返しスライド操作検知部２５は、様々な態様のスライド操作を第１繰り返しスライド操作及び第２繰り返しスライド操作として検知することができる。
【００４７】
図６は、入れ替え表示が行われた後の重畳表示２０を説明する概念図である。図６に示すように、表示制御部２１が表示部５に入れ替え表示を行わせると、重畳表示２０の最前面の画像が入れ替る。すなわち、図２で示した場合（入れ替え表示が行われる前）では画像２０ａが重畳表示２０の最前面であったが、図６に示した場合（入れ替え表示が行われた後）では画像２０ｃが最前面に表示される。これにより、図２では画像２０ｃの全体を視認できなかったが、入れ替え表示の後では、画像２０ｃは最前面に配置されるために画像２０ｃの全体を視認することが可能となる（図６）。また、表示制御部２１は、第２繰り返しスライド操作の軌跡量に応じて、最前面に配置される画像を順次入れ替えて表示させる。具体的には、表示制御部２１は、画像２０ａ、画像２０ｂ、画像２０ｃ、画像２０ｄ、画像２０ｅ、及び画像２０ｆが順次最前面に表示されるように第２繰り返しスライド操作の軌跡量に応じて、入れ替え表示を行う。
【００４８】
図７は、第２繰り返しスライド操作３７の軌跡量に応じて、重畳表示２０の最前面の画像を入れ替えることを説明する概念図である。図７に示すように、円弧的なスライド操作により第２繰り返しスライド操作が構成されている場合には、一つの円弧的スライド操作（円弧的スライド操作の１周）を等分にして、それぞれの領域をスライドしている際に、割り振られた画像を最前面に表示させる。
【００４９】
また、第２繰り返しスライド操作検知部２５は、第２繰り返しスライド操作３７の正方向及び逆方向を検知してもよい。例えば、第２繰り返しスライド操作検知部２５は、図７に示す第２繰り返しスライド操作３７の正方向を時計回り、逆方向を反時計回りとして検知する。第２繰り返しスライド操作検知部２５は、第２繰り返しスライド操作３７の正方向及逆方向を検知し、表示制御部２１は、第２繰り返しスライド操作３７の正方向と逆方向とでは、最前面に表示させる画像の表示順序を逆にしてもよい。これにより、ユーザは、より早く所望の画像を最前面に表示させることができ、所望の画像の全体をより早く視認することができる。
【００５０】
また、表示制御部２１は、第２繰り返しスライド操作の速度に応じて、入れ替え表示の速度を早くしてもよい。すなわち、図７に示したように、第２繰り返しスライド操作の軌跡量に応じて入れ替え表示を行うことにより、表示制御部２１は、第２繰り返しスライド操作の速度に応じて入れ替え表示の速度を早くする。これにより、ユーザは、所望の画像を早く最前面に表示することができる。なお、図７で説明した入替え表示の態様は、例であり、これに限定されるものではない。例えば、第２繰り返しスライド操作３７の１周毎に、最前面の画像が入れ替えられてもよいし、第２繰り返しスライド操作３７の半周毎に、最前面の画像が入れ替えられてもよい。
【００５１】
図８は、画像表示装置１０の第１実施形態の動作フロー図である。先ず、重畳表示２０が表示部５に表示される（ステップＳ１０：表示工程）。そして、受付部１４は、表示部５上の位置の指定を受け付ける（ステップＳ１２：受付工程）。その後、位置情報取得部１７は、受付部７により受け付けられた位置の位置情報を取得する（ステップＳ１４：位置情報取得工程）。その後、第１繰り返しスライド操作検知部２３は、入れ替え表示を行う重畳表示２０を指定する第１繰り返しスライド操作を検知する（ステップＳ１６：第１繰り返しスライド操作検知工程）。第２繰り返しスライド操作検知部２５は、第２繰り返しスライド操作を検知する（ステップＳ１８：第２繰り返しスライド操作検知工程）。そして、表示制御部２１は、第２繰り返しスライド操作の軌跡量に応じて重畳表示２０の入れ替え表示を表示部５に行わせる（ステップＳ２０：入れ替え表示工程）。
【００５２】
以上では、本発明の第１実施形態に関して説明を行った。上述したように、本形態によれば、重畳表示２０の最前面の画像を順次入れ替えて表示するので、表示画面のスペースが小さい場合であっても重畳表示２０された個々の画像の全体を視認することができる。また、本態様によれば、最前面の画像の入れ替えを繰り返しスライド操作の軌跡量に応じて行うため、入れ替え表示を精度良く行うことができる。
【００５３】
＜第２実施形態＞
次に、本発明の第２実施形態に関して説明する。第１実施形態では繰り返しスライド操作は円弧的であったが、本形態では、繰り返しスライド操作が直線的である。なお、機能ブロック図は、第１実施形態と同様であるので説明を省略する（図３を参照）。
【００５４】
図９は、本形態の第１繰り返しスライド操作に関して説明する概念図である。図９に示すように、第１繰り返しスライド操作検知部２３は、直線的な繰り返しスライド操作３０であって、スライド操作の軌跡が画像（画像２０ａ〜画像２０ｆ）上を通過することにより重畳表示２０を指定する繰り返しスライド操作を、第１繰り返しスライド操作として検知することもできる。
【００５５】
図１０は、本形態の第１繰り返しスライド操作検知部２３と第２繰り返しスライド操作検知部２５とが行う繰り返しスライド操作の検知に関して説明する概念図である。図１０に示すように、第１繰り返しスライド操作検知部２３は、図５で説明した円弧的な繰り返しスライド操作と同様に、スライド操作の軌跡を中心とした幅を有する帯状のゾーン３５内でスライド操作が行われて、重畳表示２０が指定されている場合に、繰り返しスライド操作を検知する。なお、図１０に示す場合では、直線的な繰り返しスライド操作３０の軌跡が重畳表示２０上を通過することによって、重畳表示２０は直線的な繰り返しスライド操作３０に指定される。その後、第２繰り返しスライド操作検知部２５は、第１実施形態と同様に、第１スライド操作の軌跡に沿ったスライド操作を第２繰り返しスライド操作として検知する。
【００５６】
図１１は、直線的な繰り返しスライド操作３０で指定された重畳表示２０の入れ替え表示に関して説明する概念図である。図１１（Ａ）は、第１繰り返しスライド操作により重畳表示２０が指定されたことを示している。重畳表示２０が指定された時は、重畳表示２０の最前面に表示されている画像は、画像２０ａである。図１１（Ｂ）〜図１１（Ｄ）は、第２繰り返しスライド操作を構成する直線的なスライド操作３７ａ〜３７ｃによって重畳表示２０の入れ替え表示が行われることを説明する図である。図１１（Ｂ）は、紙面に向かって左側に直線的なスライド操作３７ａがされた場合に、重畳表示２０の最前面に表示される画像が画像２０ａから画像２０ｂに入れ替えられることを示している。また、図１１（Ｃ）は、紙面に向かって右側に直線的なスライド操作３７ｂがされた場合に、重畳表示２０の最前面に表示される画像が画像２０ｂから画像２０ｃに入れ替えられることを示している。さらに図１１（Ｄ）は、図１１（Ｂ）と同様に紙面に向かって左側に直線的なスライド操作が３７ｃがされた場合に、重畳表示２０の最前面に表示される画像が画像２０ｃから画像２０ｄに入れ替えられることを示している。図１１（Ｂ）〜（Ｄ）に示すように、表示制御部２１は、左右の直線的なスライド操作（３７ａ〜３７ｃ）に応じて、重畳表示２０の最前面に表示される画像を順次入れ替える。
【００５７】
以上では、本発明の第２実施形態に関して説明を行った。このように、第１繰り返しスライド操作及び第２繰り返しスライド操作が直線的なスライド操作で構成されていることにより、ユーザは容易に繰り返しスライド操作を行うことができる。
【００５８】
＜第３実施形態＞
次に、第３実施形態に関して説明する。本形態は、検知部１９にさらにスライド操作検知部４０を有する。
【００５９】
図１２は、本形態の画像表示装置１０の機能ブロック図である。図３で既に説明を行ったブロックは、同じ符号を付し説明は省略する。
【００６０】
図１２に示すように、本形態の画像表示装置１０は、表示部５、受付部７、位置情報取得部１７、検知部１９、及び表示制御部２１を有し、検知部１９は、第１繰り返しスライド操作検知部２３、第２繰り返しスライド操作検知部２５、及びスライド操作検知部４０を有する。
【００６１】
本形態の第２繰り返しスライド操作検知部２５は、さらに、第２繰り返しスライド操作の停止を検知する。具体的には、第２繰り返しスライド操作検知部２５は、第２繰り返しスライド操作が停止して一定時間経過した場合に、第２繰り返しスライド操作の停止を検知する。例えば、第２繰り返しスライド操作検知部２５は、第２繰り返しスライド操作が１〜３秒間停止した場合に、第２繰り返しスライド操作が停止したと判断する。
【００６２】
スライド操作検知部４０は、第２繰り返しスライド操作から継続しており、第２繰り返しスライド操作の停止後のスライド操作を検知する。すなわち、スライド操作検知部４０は、第２繰り返しスライド操作検知部２５が第２繰り返しスライド操作の停止を検知した後に、第２繰り返しスライド操作からの継続したスライド操作を検知する。ここで、「継続した」とは、一連の操作であることを意味する。例えば、受付部７がタッチパネルである場合には、第２繰り返しスライド操作の停止後にユーザの指がタッチパネルから離れることなく次のスライド操作が始まることを「継続した」操作とする。
【００６３】
また、スライド操作検知部４０はスライド操作の停止を検知する。具体的には、スライド操作検知部４０は、スライド操作が一定時間停止した場合に、スライド操作の停止を検知する。例えば、スライド操作検知部４０は、スライド操作が１〜３秒間停止した場合に、スライド操作の停止を検知する。
【００６４】
表示制御部２１は、第２繰り返しスライド操作の停止の検知に基づいて入れ替え表示を停止させる。また、表示制御部２１は、入れ替え表示が停止した際に最前面に表示された画像をスライド操作検知部４０で検知されたスライド操作のドラッグ状態として表示部５に表示させる。さらに、表示制御部２１は、スライド操作検知部４０が検知するスライド操作の停止に応じて、ドラッグ状態にある画像のドラッグ状態を解除するように表示部５に表示させる。すなわち、表示制御部２１は、スライド操作検知部４０により検知されたスライド操作の停止によって、ドラッグ状態であった画像がドロップされた状態として表示させる。
【００６５】
図１３は、重畳表示２０の最前面に表示された画像がドラッグ状態であることを説明する概念図である。図１３に示すように、第２繰り返しスライド操作検知部２５が検知した第２繰り返しスライド操作の停止により、最前面に画像２０ｃが表示された状態で、重畳表示２０の入れ替え表示が停止する。その後、スライド操作検知部４０はスライド操作を検知し、表示制御部２１は画像２０ｃをスライド操作検知部４０で検知されるスライド操作のドラッグ状態とさせる。すなわち、スライド操作検知部４０に検知されるスライド操作のドラッグ状態である画像２０ｃは、検知されるスライド操作に応じて移動する。これにより、ユーザは、第２繰り返しスライド操作により重畳表示２０のうち所望の画像を最前面に表示させ、その最前面に表示された所望の画像をスライド操作で移動させることができる。
【００６６】
図１４は、ドラッグ状態にある画像をドロップした場合に、注目画像がドロップされた画像に置き換わることを説明する概念図である。図１４に示すように、ドラッグ状態にある画像２０ｃのドラッグ状態が解除されることにより、画像２０ｃは注目画像として置き換わる。ここで、「注目画像」とは、様々な観点において注目される画像を意味する。例えば、図１４に示すように、注目画像とは、特徴軸の中心に配置される中央画像４３のことを意味する。この場合、表示制御部２１は、重畳表示２０が表示されていた特徴軸の縮尺よりも大きい縮尺の特徴軸に重畳表示２０されていた画像（画像２０ａ〜画像２０ｆ）を整列させて表示部５に表示させてもよい。このように整列させることにより、重畳表示２０されていた画像が重ならないように配列され、ユーザは個々の画像の全体を視認することが可能となる。
【００６７】
以上では、本発明の第３実施形態に関して説明を行った。上述したように、本形態によれば、重畳表示２０の最前面に表示された画像は、スライド操作により移動させることが可能であり、次の処理に利用される。
【００６８】
＜その他の実施形態＞
本発明は、上述した画像表示装置１０で行われる画像表示方法も含み、その画像表示方法をコンピュータに実行させるプログラムも含む。さらに、本発明は、プログラムコードが記録された記憶媒体も含む。
【００６９】
また、本発明を適用可能な態様はタブレット型コンピュータ１には限定されない。例えば、カメラ機能を有する携帯電話機やスマートフォン、ＰＤＡ（Ｐｅｒｓｏｎａｌ  Ｄｉｇｉｔａｌ  Ａｓｓｉｓｔａｎｔｓ）、携帯型ゲーム機が挙げられる。
【００７０】
＜スマートフォン＞
以下、本発明を適用可能なスマートフォン１０１の一例について説明する。
【００７１】
図１５は、スマートフォン１０１の外観を示す図である。図１５に示すスマートフォン１０１は、平板状の筐体１０２を有し、筐体１０２の一方の面に表示部としての表示パネル１２１と、入力部としての操作パネル１２２とが一体となった表示入力部１２０を備える。また、筐体１０２は、スピーカ１３１と、マイクロホン１３２、操作部１４０と、カメラ部１４１とを備える。なお、筐体１０２の構成はこれに限定されず、例えば、表示部と入力部とが独立した構成が採用されてもよいし、折り畳み構造やスライド機構を有する構成が採用されてもよい。
【００７２】
図１６は、図１５に示すスマートフォン１０１の構成を示すブロック図である。図１６に示すように、スマートフォン１０１の主たる構成要素として、無線通信部１１０と、表示入力部１２０と、通話部１３０と、操作部１４０と、カメラ部１４１と、記憶部１５０と、外部入出力部１６０と、ＧＰＳ（Ｇｌｏｂａｌ  Ｐｏｓｉｔｉｏｎｉｎｇ  Ｓｙｓｔｅｍ）受信部１７０と、モーションセンサ部１８０と、電源部１９０と、主制御部１００とを備える。また、スマートフォン１０１の主たる機能として、基地局装置ＢＳと移動通信網ＮＷとを介した移動無線通信を行う無線通信機能を備える。
【００７３】
無線通信部１１０は、主制御部１００の指示に従って、移動通信網ＮＷに収容された基地局装置ＢＳに対し無線通信を行うものである。係る無線通信を使用して、音声データ、画像データ等の各種ファイルデータ、電子メールデータなどの送受信や、Ｗｅｂデータやストリーミングデータなどの受信を行う。
【００７４】
表示入力部１２０は、主制御部１００の制御により、画像（静止画像及び動画像）や文字情報などを表示して視覚的にユーザに情報を伝達し、表示した情報に対するユーザ操作を検出する、いわゆるタッチパネルであって、表示パネル１２１と、操作パネル１２２とを備える。
【００７５】
表示パネル１２１は、ＬＣＤ（Ｌｉｑｕｉｄ  Ｃｒｙｓｔａｌ  Ｄｉｓｐｌａｙ）、ＯＥＬＤ（Ｏｒｇａｎｉｃ  Ｅｌｅｃｔｒｏ−Ｌｕｍｉｎｅｓｃｅｎｃｅ  Ｄｉｓｐｌａｙ）などを表示デバイスとして用いたものである。操作パネル１２２は、表示パネル１２１の表示画面上に表示される画像を視認可能に載置され、ユーザの指や尖筆によって操作される座標を検出するデバイスである。デバイスをユーザの指や尖筆によって操作すると、操作に起因して発生する検出信号を主制御部１００に出力する。次いで、主制御部１００は、受信した検出信号に基づいて、表示パネル１２１上の操作位置（座標）を検出する。
【００７６】
図１５に示すように、撮像装置の一実施形態として例示しているスマートフォン１０１の表示パネル１２１と操作パネル１２２とは一体となって表示入力部１２０を構成しているが、操作パネル１２２が表示パネル１２１を完全に覆うような配置となっている。係る配置を採用した場合、操作パネル１２２は、表示パネル１２１外の領域についても、ユーザ操作を検出する機能を備えてもよい。換言すると、操作パネル１２２は、表示パネル１２１に重なる重畳部分についての検出領域（以下、表示領域と称する）と、それ以外の表示パネル１２１に重ならない外縁部分についての検出領域（以下、非表示領域と称する）とを備えていてもよい。
【００７７】
なお、表示領域の大きさと表示パネル１２１の大きさとを完全に一致させてもよいが、両者を必ずしも一致させる必要はない。また、操作パネル１２２が、外縁部分と、それ以外の内側部分の２つの感応領域を備えていてもよい。さらに、外縁部分の幅は、筐体１０２の大きさなどに応じて適宜設計されるものである。更にまた、操作パネル１２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【００７８】
通話部１３０は、スピーカ１３１やマイクロホン１３２を備え、マイクロホン１３２を通じて入力されたユーザの音声を主制御部１００にて処理可能な音声データに変換して主制御部１００に出力し、無線通信部１１０或いは外部入出力部１６０により受信された音声データを復号してスピーカ１３１から出力するものである。また、図１５に示すように、例えば、スピーカ１３１を表示入力部１２０が設けられた面と同じ面に搭載し、マイクロホン１３２を筐体１０２の側面に搭載することができる。
【００７９】
操作部１４０は、キースイッチなどを用いたハードウェアキーであって、ユーザからの指示を受け付けるものである。例えば、図１５に示すように、操作部１４０は、スマートフォン１０１の筐体１０２の側面に搭載され、指などで押下されるとオンとなり、指を離すとバネなどの復元力によってオフ状態となる押しボタン式のスイッチである。
【００８０】
記憶部１５０は、主制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部１５０は、スマートフォン内蔵の内部記憶部１５１と着脱自在な外部メモリスロットを有する外部記憶部１５２により構成される。なお、記憶部１５０を構成するそれぞれの内部記憶部１５１と外部記憶部１５２は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＭｉｃｒｏＳＤ（登録商標）メモリ等）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などの格納媒体を用いて実現される。
【００８１】
外部入出力部１６０は、スマートフォン１０１に連結されるすべての外部機器とのインタフェースの役割を果たすものであり、他の外部機器に通信等（例えば、ユニバーサルシリアルバス（ＵＳＢ）、ＩＥＥＥ１３９４など）又はネットワーク（例えば、インターネット、無線ＬＡＮ、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）（登録商標）、ＵＷＢ（Ｕｌｔｒａ  Ｗｉｄｅｂａｎｄ）（登録商標）、ジグビー（ＺｉｇＢｅｅ）（登録商標）など）により直接的又は間接的に接続するためのものである。
【００８２】
スマートフォン１０１に連結される外部機器としては、例えば、有／無線ヘッドセット、有／無線外部充電器、有／無線データポート、カードソケットを介して接続されるメモリカード（Ｍｅｍｏｒｙ  ｃａｒｄ）やＳＩＭ（Ｓｕｂｓｃｒｉｂｅｒ  Ｉｄｅｎｔｉｔｙ  Ｍｏｄｕｌｅ  Ｃａｒｄ）／ＵＩＭ（Ｕｓｅｒ  Ｉｄｅｎｔｉｔｙ  Ｍｏｄｕｌｅ  Ｃａｒｄ）カード、オーディオ・ビデオＩ／Ｏ（Ｉｎｐｕｔ／Ｏｕｔｐｕｔ）端子を介して接続される外部オーディオ・ビデオ機器、無線接続される外部オーディオ・ビデオ機器、有／無線接続されるスマートフォン１０１、有／無線接続されるパーソナルコンピュータ、有／無線接続されるＰＤＡ、有／無線接続されるパーソナルコンピュータ、イヤホンなどがある。外部入出力部は、このような外部機器から伝送を受けたデータをスマートフォン１０１の内部の各構成要素に伝達することや、スマートフォン１０１の内部のデータが外部機器に伝送されるようにしてもよい。
【００８３】
ＧＰＳ受信部１７０は、主制御部１００の指示に従って、ＧＰＳ衛星ＳＴ１〜ＳＴｎから送信されるＧＰＳ信号を受信し、受信した複数のＧＰＳ信号に基づく測位演算処理を実行し、スマートフォン１０１の緯度、経度、高度からなる位置を検出する。ＧＰＳ受信部１７０は、無線通信部１１０や外部入出力部１６０（例えば、無線ＬＡＮ）から位置情報を取得できる場合には、その位置情報を用いて位置を検出することもできる。
【００８４】
モーションセンサ部１８０は、例えば、３軸の加速度センサなどを備え、主制御部１００の指示に従って、スマートフォン１０１の物理的な動きを検出する。スマートフォン１０１の物理的な動きを検出することにより、スマートフォン１０１の動く方向や加速度が検出される。係る検出結果は、主制御部１００に出力されるものである。
【００８５】
電源部１９０は、主制御部１００の指示に従って、スマートフォン１０１の各部に、バッテリ（図示しない）に蓄えられる電力を供給するものである。
【００８６】
主制御部１００は、マイクロプロセッサを備え、記憶部１５０が記憶する制御プログラムや制御データに従って動作し、スマートフォン１０１の各部を統括して制御するものである。また、主制御部１００は、無線通信部１１０を通じて、音声通信やデータ通信を行うために、通信系の各部を制御する移動通信制御機能と、アプリケーション処理機能を備える。
【００８７】
アプリケーション処理機能は、記憶部１５０が記憶するアプリケーションソフトウェアに従って主制御部１００が動作することにより実現するものである。アプリケーション処理機能としては、例えば、外部入出力部１６０を制御して対向機器とデータ通信を行う赤外線通信機能や、電子メールの送受信を行う電子メール機能、Ｗｅｂページを閲覧するＷｅｂブラウジング機能などがある。
【００８８】
また、主制御部１００は、受信データやダウンロードしたストリーミングデータなどの画像データ（静止画像や動画像のデータ）に基づいて、映像を表示入力部１２０に表示する等の画像処理機能を備える。画像処理機能とは、主制御部１００が、上記画像データを復号し、係る復号結果に画像処理を施して、画像を表示入力部１２０に表示する機能のことをいう。
【００８９】
さらに、主制御部１００は、表示パネル１２１に対する表示制御と、操作部１４０、操作パネル１２２を通じたユーザ操作を検出する操作検出制御を実行する。
【００９０】
表示制御の実行により、主制御部１００は、アプリケーションソフトウェアを起動するためのアイコンや、スクロールバーなどのソフトウェアキーを表示し、或いは電子メールを作成するためのウィンドウを表示する。なお、スクロールバーとは、表示パネル１２１の表示領域に収まりきれない大きな画像などについて、画像の表示部分を移動する指示を受け付けるためのソフトウェアキーのことをいう。
【００９１】
また、操作検出制御の実行により、主制御部１００は、操作部１４０を通じたユーザ操作を検出したり、操作パネル１２２を通じて、上記アイコンに対する操作や、上記ウィンドウの入力欄に対する文字列の入力を受け付けたり、或いは、スクロールバーを通じた表示画像のスクロール要求を受け付ける。
【００９２】
さらに、操作検出制御の実行により主制御部１００は、操作パネル１２２に対する操作位置が、表示パネル１２１に重なる重畳部分（表示領域）か、それ以外の表示パネル１２１に重ならない外縁部分（非表示領域）かを判定し、操作パネル１２２の感応領域や、ソフトウェアキーの表示位置を制御するタッチパネル制御機能を備える。
【００９３】
また、主制御部１００は、操作パネル１２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、或いはこれらを組み合わせて、複数の位置から少なくとも１つについて軌跡を描く操作を意味する。
【００９４】
カメラ部１４１は、ＣＭＯＳなどの撮像素子を用いて電子撮影するデジタルカメラである。また、カメラ部１４１は、主制御部１００の制御により、撮像によって得た画像データを例えばＪＰＥＧなどの圧縮した画像データに変換し、記憶部１５０に記録し、外部入出力部１６０や無線通信部１１０を通じて出力することができる。図１５に示すようにスマートフォン１０１において、カメラ部１４１は表示入力部１２０と同じ面に搭載されているが、カメラ部１４１の搭載位置はこれに限らず、表示入力部１２０の背面に搭載されてもよいし、或いは、複数のカメラ部１４１が搭載されてもよい。なお、複数のカメラ部１４１が搭載されている場合には、撮影に供するカメラ部１４１を切り換えて単独にて撮影してもよいし、或いは、複数のカメラ部１４１を同時に使用して撮影してもよい。
【００９５】
また、カメラ部１４１はスマートフォン１０１の各種機能に利用することができる。例えば、表示パネル１２１にカメラ部１４１で取得した画像を表示することや、操作パネル１２２の操作入力の１つとして、カメラ部１４１の画像を利用することができる。また、ＧＰＳ受信部１７０が位置を検出する際に、カメラ部１４１からの画像を参照して位置を検出することもできる。さらには、カメラ部１４１からの画像を参照して、３軸の加速度センサを用いずに、或いは、３軸の加速度センサと併用して、スマートフォン１０１のカメラ部１４１の光軸方向を判断することや、現在の使用環境を判断することもできる。勿論、カメラ部１４１からの画像をアプリケーションソフトウェア内で利用することもできる。
【００９６】
その他、静止画又は動画の画像データにＧＰＳ受信部１７０により取得した位置情報、マイクロホン１３２により取得した音声情報（主制御部等により、音声テキスト変換を行ってテキスト情報となっていてもよい）、モーションセンサ部１８０により取得した姿勢情報等などを付加して記憶部１５０に記録し、外部入出力部１６０や無線通信部１１０を通じて出力することもできる。
【００９７】
なお、本発明の画像表示装置１０の位置情報取得部１７、検知部１９、及び表示制御部２１は、スマートフォン１０１の主制御部１００に備えられており、画像表示装置１０の表示部５はスマートフォン１０１の表示パネル１２１、画像表示装置１０の受付部７はスマートフォン１０１の操作パネルである。
【００９８】
以上で本発明について説明を行ってきたが、本発明は上述した実施形態に限定されず、本発明の精神を逸脱しない範囲で種々の変形が可能であることは言うまでもない。
【符号の説明】
【００９９】
１…タブレット型コンピュータ、２…筐体、５…表示部、７…受付部、９…スピーカ、１０…画像表示装置、１１…マイクロホン、１３…操作部、１４…受付部、１７…位置情報取得部、１９…検知部、２０…重畳表示、２１…表示制御部、２３…第１繰り返しスライド操作検知部、２５…第２繰り返しスライド操作検知部、４０…スライド操作検知部、１００…主制御部、１０１…スマートフォン
【図１】
2015203875.tif 000003
【図３】
2015203875.tif 000004
【図７】
2015203875.tif 000005
【図８】
2015203875.tif 000006
【図１２】
2015203875.tif 000007
【図１５】
2015203875.tif 000008
【図１６】
2015203875.tif 000009
【図２】
2015203875.tif 000010
【図４】
2015203875.tif 000011
【図５】
2015203875.tif 000012
【図６】
2015203875.tif 000013
【図９】
2015203875.tif 000014
【図１０】
2015203875.tif 000015
【図１１】
2015203875.tif 000016
【図１３】
2015203875.tif 000017
【図１４】
2015203875.tif 000018